(57)【要約】【課題】  作業性よくアンテナを配置することができると共に、微弱タイプおよび強電タイプの両方式の読み取り／書き込み装置と通信可能なアンテナ配置構造および通信端末を実現する。【解決手段】  本発明のアンテナ配置構造は、非接触式通信用のアンテナ１５が携帯電話の本体下部３に、段状に配置されている。また、本発明の通信端末は、表示画面が設けられた本体上部と電池収納部１０が設けられた本体下部３とを備え、該本体下部３に非接触式通信用のアンテナ１５が環状に配置されており、アンテナ１５にて囲まれた面積が、電池収納部１０の最大面の面積よりも大きくなっている。【選択図】  図１
2005348066.tif 000002
【特許請求の範囲】
【請求項１】
読み取り／書き込み装置と非接触式通信を行うアンテナが通信端末に配置されたアンテナ配置構造であって、
上記アンテナは、読み取り／書き込み装置に対する方向に段差を有するように段状に配置されていることを特徴とするアンテナ配置構造。
【請求項２】
上記アンテナは、環状に配置されていることを特徴とする請求項１に記載のアンテナ配置構造。
【請求項３】
表示部が設けられた第１筐体と電池収納部が設けられた第２筐体とを備え、該第２筐体に非接触式通信用のアンテナが配置された通信端末であって、
上記アンテナは、環状に配置されていると共に、
上記アンテナにて囲まれた面積が、電池収納部の最大面の面積よりも大きいことを特徴とする通信端末。
【請求項４】
上記第２筐体の内面側が、電池収納部が設けられた部分である上段部と、電池収納部が設けられていない部分である下段部と、上段部および下段部を接続する部分である段差部とからなる段状構造を有しており、
上記アンテナは、第２筐体の上段部、段差部および下段部に渡って配置されていることを特徴とする請求項３に記載の通信端末。
【請求項５】
上記アンテナは、少なくとも一部が第２筐体内面の周縁部分に配置されていることを特徴とする請求項３または４に記載の通信端末。
【請求項６】
上記アンテナは、第２筐体に貼付されていることを特徴とする請求項３ないし５のいずれか１項に記載の通信端末。
【発明の詳細な説明】
【技術分野】
【０００１】
本発明は、非接触式通信に用いられるアンテナの配置構造と、このアンテナ配置構造を用いてアンテナが配置された通信端末に関するものである。
【背景技術】
【０００２】
従来から、例えば、電車などの交通機関の改札機や大規模なオフィスビルの入退出システムには、ＩＣを内蔵した非接触ＩＣカードをリーダ／ライタ（読み取り／書き込み）装置に対して数センチ〜数十センチ程度離した状態でかざすことによって、これらＩＣカードとリーダ／ライタ装置間でのデータ通信を実現可能とした非接触ＩＣカードシステムが採用されている。
【０００３】
非接触ＩＣカードシステムは、ＩＣカード基板上に実装されたアンテナがリーダ／ライタ装置からの微小な電磁波を捕らえることによって動作するように構成されている。そして、この非接触ＩＣカードシステムは、ＩＣカードをリーダ／ライタ装置に対して接触させることなく、単にかざすだけでデータ通信を行うことができるため、例えば交通機関の改札システムなどのような高速処理が求められるシステムに適している。
【０００４】
一方で、携帯電話やＰＨＳ等の携帯端末は広く普及しており、単なる通話手段にとどまらず情報端末としての側面の比重が増している。非接触ＩＣカードは、非接触通信でデータの授受を行うため、磁気カードや接触ＩＣカードのように読み取り装置に挿入する必要がなく、携帯端末に搭載して利用することも可能である。このため、非接触ＩＣカードを携帯電話機にも採用しようといった試みがある。この非接触ＩＣカードを携帯電話機に搭載する技術については、例えば特許文献１および２に開示されている。
【０００５】
特許文献１には、モバイル機器のバッテリー用蓋の内側に組み込まれ、当該モバイル機器と一体構成される無線通信モジュールが記載されている。この無線通信モジュールは、外部のリーダ／ライタ装置と信号の送受信を行うアンテナコイルと、当該アンテナコイルに接続されて非接触ＩＣカード機能を発揮するＩＣチップとを具備している。特許文献１に記載の無線通信モジュールでは、アンテナコイルとＩＣチップとがバッテリー用蓋に実装または内蔵されている。
【０００６】
また、特許文献２には、樹脂からなる筐体の少なくとも一部分に、金属導体をコイル状に配線したアンテナとそれに電気的に接続されたＩＣ部品とからなる非接触ＩＣカード機能部品が内蔵封止された携帯電話機用筐体が記載されている。特許文献２に記載の携帯電話用筐体では、バッテリー部カバーの樹脂内に、アンテナコイルおよび非接触ＩＣカード機能部品が内蔵封止されている。
【０００７】
なお、非接触ＩＣカードに実装されているアンテナは、携帯電話機に内蔵されている液晶表示装置やイヤーレシーバー等を構成する金属部品が近くにあるとアンテナ特性が落ちる。この場合、携帯電話機とリーダ／ライタ装置との通信状態を良好なものとするためには、アンテナをなるべく金属部品から離して配置する必要がある。ただし、アンテナとリーダ／ライタ装置との距離を十分に確保すると、携帯電話機自体の厚みが増し、大型化してしまう。
【０００８】
この点を考慮して、金属部品に対する影響を受けることなくアンテナを実装して、該アンテナの通信距離を十分に確保すると共に、薄型化を実現した携帯通信端末が特許文献３に開示されている。特許文献３に記載の携帯通信端末は、非接触ＩＣカードとアンテナとが独立して設けられており、アンテナが端末本体の外周近傍部に沿って環状に配置されている、または、アンテナがモールド部分に埋め込まれている。
【特許文献１】特開２００３−６７６９２号公報（平成１５年(2003)３月７日公開）
【特許文献２】特開２００３−３７８６１号公報（平成１５年(2003)２月７日公開）
【特許文献３】特開２００３−２５８９７２号公報（平成１５年(2003)９月１２日公開）
【発明の開示】
【発明が解決しようとする課題】
【０００９】
しかしながら、特許文献１ないし３のように、アンテナコイルやＩＣチップを端末の強体に内蔵する場合には、アンテナコイルやＩＣチップを内蔵しながら筐体を成型する必要があり作業性が非常に悪いと共に製造が煩雑になるという問題点を有している。
【００１０】
また、特許文献１や２のように、バッテリー用蓋といった、取り外しが可能な部分にアンテナコイルやＩＣチップが装着されている場合には、これらを取り外すことによってアンテナコイルやＩＣチップが破損してしまう恐れがある。すなわち、使用者が通常の使用をすることで、破損してしまう可能性がある。
【００１１】
さらに、近年、バッテリーの大きさはますます小さくなる傾向にあり、これに伴ってバッテリー用の蓋も小さくなっている。このため、バッテリー用蓋にアンテナコイルを装着した場合には、アンテナコイルにて囲まれた面積を十分に確保することができない。一般に、アンテナコイルにて囲まれた面積が大きいほど、高精度な通信を行うことができるようになっており、バッテリー用蓋が小さくなると高精度な通信を行うことが困難になるという問題点を有している。
【００１２】
なお、非接触式通信は、アンテナと読み取り／書き込み装置との通信により行われる。この通信は、アンテナを読み取り／書き込み装置に近づけ、所定の電界強度に達した場合に行われる。一般に、読み取り／書き込み装置には、通信可能距離がおよそ１０ｃｍの強電タイプや、通信可能距離がおよそ２ｃｍの微弱タイプがある。
【００１３】
上記特許文献３の構成では、強電タイプの読み取り／書き込み装置との通信はできるものの、金属等の障害物の影響により微弱タイプの読み取り／書き込み装置との通信は困難である。すなわち、強電タイプおよび微弱タイプの両方の読み取り／書き込み装置とは通信を行うことができないという問題点を有している。
【００１４】
本発明は、上記の問題点に鑑みてなされたものであり、その目的は、作業性よくアンテナを配置することができると共に、微弱タイプおよび強電タイプの両方式の読み取り／書き込み装置と通信可能なアンテナ配置構造および通信端末を実現することにある。
【課題を解決するための手段】
【００１５】
本発明に係るアンテナ配置構造は、上記課題を解決するために、読み取り／書き込み装置と非接触式通信を行うアンテナが通信端末に配置されたアンテナ配置構造であって、上記アンテナは、読み取り／書き込み装置に対する方向に段差を有するように段状に配置されていることを特徴としている。
【００１６】
一般に、非接触式の通信を行う場合には、読み取り／書き込み装置が強電タイプか微弱タイプかによって、アンテナと読み取り／書き込み装置との通信距離が変わる。強電タイプの読み取り／書き込み装置の場合には通信距離が長く、微弱タイプの読み取り／書き込み装置の場合には通信距離が短い。微弱タイプの読み取り／書き込み装置を用いた場合、通信距離が短いため、アンテナの配置位置によっては十分な通信距離を確保することができず、感度不足になり良好な通信ができないことがある。
【００１７】
これに対して、上記の構成によれば、アンテナが読み取り／書き込み装置に対する方向に段差を有するように段状に配置されているため、アンテナは、段状の高い部分では読み取り／書き込み装置との距離が長く、低い部分では読み取り／書き込み装置との距離が短くなる。すなわち、アンテナは、読み取り／書き込み装置との距離が異なる部分を有することとなる。このため、例え段状の高い部分のアンテナが感度不足となった場合であっても、低い部分のアンテナによって良好な通信を行うことが可能となる。
【００１８】
これにより、１つのアンテナで強電タイプおよび微弱タイプの両方式の読み取り／書き込み装置との通信が可能なアンテナ配置構造とすることができる。
【００１９】
本発明に係るアンテナ配置構造では、上記アンテナは、環状に配置されていることが好ましい。上記アンテナが環状に配置されることにより、アンテナにて囲まれた部分の面積を大きくすることができる。アンテナにて囲まれた部分の面積が大きい程、通信特性を向上させることができるため、より良好な通信が可能なアンテナ配置構造とすることができる。
【００２０】
本発明に係る通信端末は、上記課題を解決するために、表示部が設けられた第１筐体と電池収納部が設けられた第２筐体とを備え、該第２筐体に非接触式通信用のアンテナが配置された通信端末であって、上記アンテナは、環状に配置されていると共に、上記アンテナにて囲まれた面積が、電池収納部の最大面の面積よりも大きいことを特徴としている。
【００２１】
上記の構成によれば、アンテナが環状に配置されているので、アンテナにて囲まれた部分の面積を大きくすることができる。アンテナにて囲まれた部分の面積が大きい程通信特性は向上する。通信距離が長い強電タイプでは、電池の影響による通信特性の低下よりも、アンテナにて囲まれた部分の面積の大きさによる通信特性の向上のほうがメリットが大きい。このため、電池の影響を受けることなく、良好な通信を行うことが可能となる。
【００２２】
また、非接触式の通信を行う場合には、読み取り／書き込み装置が強電タイプか微弱タイプかによって、アンテナと読み取り／書き込み装置との通信距離が変わる。通信距離が短い微弱タイプを用いた場合に、アンテナと読み取り／書き込み装置との間に電池が存在すると、この電池の影響により通信特性が低下する。
【００２３】
しかしながら、上記の構成によれば、環状に形成されたアンテナにて囲まれた面積が、電池収納部の最大面の面積よりも大きいため、アンテナの最外周部分は、読み取り／書き込み装置との間に電池が存在しないこととなる。このため、微弱タイプの読み取り／書き込み装置を用いた場合であっても良好な通信を行うことが可能となる。
【００２４】
従って、上記の構成とすることにより、電池収納部を有する第２筐体にアンテナを配置した場合であっても、アンテナの数を増やしたり特別な部品を使用したりすることなく、１つのアンテナで強電タイプおよび微弱タイプの両方式の読み取り／書き込み装置との通信が可能な通信端末とすることができる。
【００２５】
本発明に係る通信端末では、上記第２筐体の内面側が、電池収納部が設けられた部分である上段部と、電池収納部が設けられていない部分である下段部と、上段部および下段部を接続する部分である段差部とからなる段状構造を有しており、上記アンテナは、第２筐体の上段部、段差部および下段部に渡って配置されていることが好ましい。
【００２６】
上記の構成によれば、通信端末の第２筐体は、その内面側が段状構造を有している。また、アンテナは、この段状構造の上段部、段差部および下段部に渡って配置されている。すなわち、アンテナ自身も段状構造を有している。下段部に配置された部分のアンテナは、読み取り／書き込み装置との間に電池が存在せず、また、通信を行う際には下段部に配置されたアンテナが電池よりも先に読み取り／書き込み装置に接近する。このため、電池の影響を受けることがない。従って、微弱タイプの読み取り／書き込み装置の場合であってもより良好に通信を行うことが可能となる。
【００２７】
本発明に係る通信端末では、上記アンテナは、少なくとも一部が第２筐体内面の周縁部分に配置されていることが好ましい。上記アンテナを、その少なくとも一部が第２筐体内面の周縁部分に位置するように配置すれば、アンテナ部分の面積をより大きくすることができる。特に、アンテナを環状に配置する場合には、アンテナにて囲まれた面積をより大きくすることができる。従って、より良好な通信が可能な通信端末を得ることができる。
【００２８】
本発明に係る通信端末では、上記アンテナは、第２筐体に貼付されていることが好ましい。アンテナを第２筐体に貼付するだけで配置することができるので、アンテナの第２筐体への配置を作業性よく容易に行うことができる。
【発明の効果】
【００２９】
本発明に係るアンテナ配置構造は、以上のように、読み取り／書き込み装置と非接触式通信を行うアンテナが通信端末に配置されたアンテナ配置構造であって、上記アンテナは、読み取り／書き込み装置に対する方向に段差を有するように段状に配置されている。また、本発明に係る通信端末は、以上のように、表示部が設けられた第１筐体と電池収納部が設けられた第２筐体とを備え、該第２筐体に非接触式通信用のアンテナが配置された通信端末であって、上記アンテナは、環状に配置されていると共に、上記アンテナにて囲まれた面積が、電池収納部の最大面の面積よりも大きくなっている。このため、１つのアンテナで強電タイプおよび微弱タイプの両方式の読み取り／書き込み装置との通信ができるという効果を奏する。
【発明を実施するための最良の形態】
【００３０】
本発明の実施の一形態について図１ないし図８に基づいて説明すると以下の通りである。なお、本実施の形態においては、本発明の通信端末として折り畳み式の携帯電話機（以下、携帯電話と略する）を例に挙げて説明する。
【００３１】
図２および図３は、本実施の形態に係る携帯電話（通信端末）１の概略構成を示す平面図である。図２および図３は、携帯電話１を開いた状態を示しており、図２は正面からみた図であり、図３は背面からみた図である。
【００３２】
図２および図３に示すように、携帯電話１は本体上部（第１筐体）２および本体下部（第２筐体）３からなっており、これら本体上部２および本体下部３がヒンジ４を介して開閉可能に接続されている。本体上部２は、正面側に表示画面５やスピーカ６等を備えており、背面側に背面側表示画面７等を備えている。この表示画面５や背面側表示画面７には、液晶表示装置が用いられている。また、本体下部３は、正面側に操作ボタン８やマイクロホン９等を備えており、背面側に電池収納部１０を備えている。電池収納部１０は、内部に電池を収納する部分であり、カバーによって蓋がされている。
【００３３】
図４は電池収納部１０に電池が収納されていない状態であって、カバーが取り外された状態における本体下部３を外部からみた概略構成を示す斜視図である。また、図１は本体下部３を内部からみた概略構成を示す斜視図であり、図５は電池収納部１０に電池１１が収納された状態における本体下部３の概略構成を示す断面図である。
【００３４】
図４に示すように、電池収納部１０は、電池１１を収納する部分が筐体内部に窪んだ構造をしており、この窪みに電池１１を収納するようになっている。このため、図１および図５に示すように、本体下部３は、筐体内部からみた場合には電池収納部１０の部分が突出した構造となっている。すなわち、本体下部３は、内面側が２段になった段状構造を有している。
【００３５】
本体下部３の内面側の具体的な構造は、図１および図５に示すように、筐体内部に突出した部分（電池収納部１０がある部分）と、筐体内部に突出していない部分（電池収納部のない部分）と、これら各部分を接続する傾斜部分とを有している。本実施の形態においては、説明の便宜上、この段状構造のうち、筐体内部に突出した部分を上段部１２、筐体内部に突出していない部分を下段部１３、上段部１２と下段部１３との間の傾斜部分を段差部１４と称する。
【００３６】
図１および図５に示すように、携帯電話１は、本体下部３の上段部１２から段差部１４および下段部１３に渡ってアンテナ１５が配置（実装）されている。すなわち、アンテナ１５はリーダ／ライタ装置に対する方向に段差を有する段状に配置されており、本体下部３の段状構造に応じた段状構造を有している。また、本実施の形態では、アンテナ１５は本体下部３の筐体に貼付されている。このアンテナ１５を図示しないリーダ／ライタ装置（読み取り／書き込み装置）にかざすことによって無線通信によるデータの授受が可能となっている。
【００３７】
図６は本実施の形態におけるアンテナ１５の概略構成を示す平面図、および本体下部３に貼付された状態を示す側面図である。上記アンテナ１５は、銅箔パターンが数ターンの環状（ループ状）に形成されたフレキシブル基板からなっており、本体下部３の内面上に貼付されている。また、このフレキシブル基板は、ポリイミド樹脂を含む材料からなっており、その両面に銅箔が形成されている。アンテナ１５は、そのループ状に形成された銅箔パターンにて囲まれた面積が大きいほど通信特性が向上する。このため、本実施の形態では、アンテナ１５を本体下部３筐体内面の周縁部分に貼付している。これにより、良好な通信特性を得ることが可能となっている。
【００３８】
なお、アンテナ１５を形成する際には、良好な通信特性を得ることができるように銅箔パターンの太さや銅箔パターン同士の間隔を適宜変更して形成することができる。例えば、銅箔パターン同士の間隔を狭くした場合には、アンテナ１５にて囲まれた面積をより大きくすることが可能となる。
【００３９】
また、銅箔パターン同士の間隔を広くして、数ターンの銅箔パターンを上段１２部や下段部１３等に配置し、残りの銅箔パターンを本体下部３内面の立設面に配置するように貼付してもよい。この場合、アンテナ１５にて囲まれた面積をより大きくすることができる。このように、アンテナ１５の貼付位置は、アンテナ１５の少なくとも一部が上段部１２から段差部１４および下段部１３にかけて配置されていればよく、通信特性を考慮して適宜変更することができる。
【００４０】
また、本実施の形態においては、アンテナ１５は磁性体を含む両面テープを用いて貼付されている。アンテナ１５の近傍に金属がある場合には、金属の影響によって干渉が起こり、通信特性が低下するものの、磁性体をアンテナ１５と金属との間に設けることで、この干渉を低減することが可能となる。携帯電話１に用いられる電池１１は金属部分が多いため、上段部１２に配置されたアンテナ１５の通信特性を低下させてしまう恐れがあるものの、磁性体を設けていることによって、通信特性の低下を抑制している。すなわち、磁性体を含む両面テープは、アンテナ１５を貼付するためのみならず、通信特性の低下を抑制するためのものである。
【００４１】
上記両面テープは、磁性体を含むものであればよいが、磁性体からなるシールを用いたものであることが好ましい。磁性体としては、干渉を抑制することができるものであればよく、例えば、フェライトを用いることができる。
【００４２】
また、図４および図５に示すように、電池収納部１１の外形は本体下部３の外形よりも小さい。このため、アンテナ１５を本体下部３筐体内面の周縁部分に貼付した場合には、アンテナ１５にて囲まれた面積を電池収納部の最大面の面積（電池１１の最大面の面積）よりも大きくすることができる。すなわち、アンテナ１５を電池１１の輪郭よりも大きくなるように配置する（電池１１よりも大きいループとする）ことができる。この場合、上段部１２に配置されたアンテナ１５であってもリーダ／ライタ装置との間金属が存在しない部分を設けることができるため、通信特性の低下をより抑制することが可能となる。
【００４３】
このアンテナ１５は、非接触通信用ＩＣである非接触ＩＣチップ（図示せず）と接続されている。このため、アンテナ１５には、アンテナ１５と非接触ＩＣチップとを接続する接点１６が設けられている。この接点１６は、アンテナ１５を構成する銅箔パターンの一部からなっており、具体的には、ループ状に形成された銅箔パターンの各端部からなっている。ループ状のアンテナ１５は、銅箔からなる線がいわゆる渦巻き状に形成されているため、接点の一方はフレキシブル基板の裏面に形成された銅箔を介してアンテナ１５と導通している。具体的には、図６に示すＡ点とＢ点とが銅スルーホールを介して両面の銅箔パターンが導通している。
【００４４】
なお、本体下部３には、操作ボタン８やマイクロホン９等を制御するための電子部品が実装されたプリント基板（図示せず）が配置される。上位非接触ＩＣチップも、このプリント基板上に配設される。このため、プリント基板には、アンテナ１５の接点１６と接触するようにバネ式接点（図示せず）が設けられている。接点１６とプリント基板のバネ式接点とが接触することによって、アンテナ１５と非接触ＩＣチップとが電気的に接続するようになっている。
【００４５】
上記接点１６は、本実施の形態では筐体の長手方向の中心線付近に設けられているが、アンテナ１５と非接触ＩＣチップとを接続することができる位置に設ければよい。例えば、上記中心線付近よりも筐体の側面側に設けてもよく、角部に設けてもよい。
【００４６】
携帯電話１は、高温状態に一定時間さらされた場合には筐体が膨張する。一般に膨張の度合いは、上記中心線付近が最も大きい。このため、接点１６を中心線付近に設けた場合には、筐体の膨張によりプリント基板との距離が広がり、接点１６とバネ式接点との接触状態が不良になる恐れがある。接点１６を中心線よりも筐体の側面側または角部に設けた場合には、筐体の膨張時おいてもプリント基板との距離が離れてしまうことを抑制することができる。このため、より筐体の側面側に接点１６を設けることによって良好な接触状態を維持することが可能になる。
【００４７】
また、上記段差部１４はある一定の傾斜を有することが好ましい。上段部１２と下段部１３との境界が急な傾斜である場合にはアンテナ１５を貼付することが困難になるためである。この傾斜角度は特に限定されるものではないが、容易にアンテ１５ナを貼付することができると共に、他の電子部品の配設を妨げない程度の傾斜であることが好ましい。
【００４８】
次に、上記アンテナ１５が配置（実装）された携帯電話１とリーダ／ライタ装置とで非接触式通信を行う機構について説明する。
【００４９】
携帯電話１とリーダ／ライタ装置との通信は、携帯電話１のアンテナ１５をリーダ／ライタ装置に近づけることによって行われる。具体的には、アンテナ１５がリーダ／ライタ装置に近づき、所定の電界強度になった場合に通信が行われる。なお、リーダ／ライタ装置には、通信可能距離がおよそ１０ｃｍの強電タイプや、通信可能距離がおよそ２ｃｍの微弱タイプがある（強電タイプはおよそ０〜１０ｃｍまで通信可能であり、微弱タイプはおよそ０〜２ｃｍまで通信可能である）。このため、リーダ／ライタ装置が微弱タイプの場合には、アンテナ１５が筐体の奥（内部）に配置（実装）されていると通信距離が短くなり、アンテナ１５と筐体との間に金属等の障害物があると通信距離は更に短くなる。従って、通信距離が長くなる筐体内面の外部側にアンテナ１５を実装することが好ましい。
【００５０】
図７は強電タイプのリーダ／ライタ装置１７を用いた場合における、アンテナ１５とリーダ／ライタ装置１７とで通信を行っている状態を示す図である。図７に示すように、強電タイプのリーダ／ライタ装置１７の場合、アンテナ１５をリーダ／ライタ装置１７に近づけていき、これらの距離が約１０ｃｍになると通信が行われる。
【００５１】
上述のように、アンテナ１５とリーダ／ライタ装置１７との間に存在する電池１１の影響によって通信特性が低下する恐れがある。一方で、本実施の形態におけるアンテナ１５は、アンテナ１５にて囲まれた面積を大きくすることにより通信特性を向上させている。アンテナ１５とリーダ／ライタ装置１７との距離が１０ｃｍ程度離れている場合には、金属の干渉による通信特性の低下よりも、アンテナ１５にて囲まれた面積が大きいことによる通信特性の向上のメリットのほうが大きい。従って、強電タイプのリーダ／ライタ装置１７を用いた場合には、上段部１２に配置されたアンテナ１５の効果によって良好な通信が可能となる。
【００５２】
一方、図８に微弱タイプのリーダ／ライタ装置１８を用いた場合における、アンテナ１５とリーダ／ライタ装置１８とで通信を行っている状態を示す。図８に示すように、微弱タイプのリーダ／ライタ装置１８の場合、アンテナ１５をリーダ／ライタ装置１８に近づけていき、これらの距離が約２ｃｍになると通信が行われる。
【００５３】
強電タイプのリーダ／ライタ装置１７の場合と異なり、アンテナ１５とリーダ／ライタ１８装置との距離が２ｃｍ程度の場合には、これらの距離が近く、金属の影響を受けてしまう。このため、アンテナ１５にて囲まれた面積が大きい場合であっても、感度よく通信を行うことが困難になる。
【００５４】
しかしながら、本実施の形態では、本体下部３の下段部１３にもアンテナ１５が配置されている。下段部１５に配置されたアンテナ１５とリーダ／ライタ装置１８との間には金属（電池１１）が存在しておらず、下段部１３に配置されたアンテナ１５は金属の影響が小さい。また、図５に示すように、アンテナ１５は本体下部３筐体に直に貼付されているのに対して、電池収納部１０に収納された電池１１は本体下部３筐体よりも若干内部に配置されている。このため、下段部１３に貼付されたアンテナ１５は、電池収納部１０に収納された電池１１よりも外側（筐体の外周側）に配置されていることとなる。すなわち、アンテナ１５をリーダ／ライタ装置１８に近づけた際には、電池１１よりもアンテナ１５のほうが先にリーダ／ライタ装置１８に近づく。これによっても、下段部１３に配置されたアンテナ１５の金属から受ける影響は小さくなる。
【００５５】
すなわち、微弱タイプのリーダ／ライタ装置１８を用いた場合には、アンテナ１５にて囲まれた面積の大きさのメリットよりも、金属（電池）の影響のない部分の効果のほうが大きく、下段部１３に配置されたアンテナ１５の効果によって良好な通信が可能となる。従って、電池１１を収納した状態であっても微弱タイプのリーダ／ライタ装置１８との通信が可能となっている。
【００５６】
このように、非接触式通信にて良好な通信を行うためには、リーダ／ライタ装置が強電タイプ場合には、アンテナ１５にて囲まれた面積の大きさが重要な要因となり、微弱タイプの場合には、金属の影響の有無が重要な要因となる。
【００５７】
本発明では上記アンテナの配置構造とすることにより、１つのアンテナでありながら、リーダ／ライタ装置との距離を２つ有するアンテナを配置することができる。しかも、本発明に係るアンテナは、良好な通信が十分可能な面積を有すると共に、金属の影響を受けない部分も有している。このため、電池収納部を有する本体下部にアンテナを配置した場合であっても、アンテナの数を増やしたり特別な部品を使用したりすることなく、１つのアンテナで強電タイプおよび微弱タイプの両方式のリーダ／ライタ装置との通信が可能となる。
【００５８】
なお、上記では、折り畳み式の携帯電話機について説明したが、本発明は、折り畳み式でない携帯電話機や、折り畳み式であると共に本体上部が本体下部に対して回動可能に接続された携帯電話機であっても適用できる。
【００５９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６０】
以上のように、本発明の通信端末は、アンテナが本体下部の上段部から段差部および下段部にかけて配置されている。このため、電池収納部の部分にアンテナを配置したにも関わらず、１つのアンテナで約２ｃｍの微弱タイプおよび約１０ｃｍの強電タイプの両方式のリーダ／ライタ装置と通信可能な通信端末とすることができる。従って、通信端末に関する各種産業分野のみならず、非接触式通信用のアンテナや、それを備えた非接触ＩＣやリーダ／ライタ等の非接触式通信に用いる各種部品を製造・使用する産業分野等に好適に用いることができる。
【図面の簡単な説明】
【００６１】
【図１】本発明の実施の一形態を示すものであり、携帯電話の本体下部の概略構成を示す斜視図である。
【図２】本発明の実施の一形態を示すものであり、携帯電話の概略構成を示す平面図である。
【図３】本発明の実施の一形態を示すものであり、携帯電話の概略構成を示す平面図である。
【図４】本発明の実施の一形態を示すものであり、携帯電話の本体下部の概略構成を示す斜視図である。
【図５】本発明の実施の一形態を示すものであり、携帯電話の本体下部の概略構成を示す断面図である。
【図６】本発明の実施の一形態を示すものであり、アンテナの概略構成を示す平面図および側面図である。
【図７】本発明の実施の一形態を示すものであり、アンテナとリーダ／ライタ装置とで通信を行っている状態を示す図である。
【図８】本発明の実施の一形態を示すものであり、アンテナとリーダ／ライタ装置とで通信を行っている状態を示す図である。
【符号の説明】
【００６２】
１    携帯電話（通信端末）
２    本体上部（第１筐体）
３    本体下部（第２筐体）
５    表示画面（表示部）
１０  電池収納部
１１  電池
１２  上段部
１３  下段部
１４  段差部
１５  アンテナ
１７  リーダ／ライタ装置（読み取り／書き込み装置）
１８  リーダ／ライタ装置（読み取り／書き込み装置）
【図１】
2005348066.tif 000003
【図２】
2005348066.tif 000004
【図３】
2005348066.tif 000005
【図４】
2005348066.tif 000006
【図５】
2005348066.tif 000007
【図６】
2005348066.tif 000008
【図７】
2005348066.tif 000009
【図８】
2005348066.tif 000010